(57)【特許請求の範囲】
【請求項１】
凹状に成形された埋立て地の内壁に設置される複数のＨ型鋼材と、
このＨ型鋼材に取付けられて、上記埋立て地内に投入される廃棄物の落下速度を緩和するための筒状の投入シュートとを備え、
上記投入シュートは、それぞれが、上記Ｈ型鋼材に着脱可能に取付けられる複数のシュートユニットを上下方向に複数段連結して成り、
上記シュートユニットは、
上記Ｈ型鋼材に取付けられる平板状の取付板と、
この取付板の両側に、上記廃棄物の落下方向に平行に立設された側板と、
上記取付板に立設され、上記廃棄物の落下方向に対して斜め下方に延長する落下制御板と、
上記側板に、上記取付板に対向するように取付けられた板状の飛散防止カバーとを備え、
上下方向に隣接するシュートユニット同士は、上記落下制御板の延長方向が互いに反対になるように連結されており、
上記投入シュートを構成する複数のシュートユニットのうちのいくつかは、一方の側板に観察窓を備えていることを特徴とする廃棄物処分場。
【発明の詳細な説明】
【０００１】
【発明の属する技術分野】
本発明は、廃棄物処分場に廃棄物を投入するための投入シュートに関するものである。
【０００２】
【従来の技術】
従来、廃棄物を集積して埋立・貯蔵する廃棄物処分場の埋立て地は、地面を凹状に掘削・成形し、その周囲にコンクリート塀を構築して構成したり、河川の谷の上流側を塞き止めて、この谷の凹部を利用して形成される。廃棄物は、ダンプカー等の搬送車両に搭載されて処分場まで運搬され、上記埋立て地内に投入される。このとき、ダンプカーは、埋立て地内に設けられた場内の道路を経由して上記埋立て地内に進入し、上記廃棄物を処分場周囲の所定の位置に投入する。上記投入された廃棄物は、ローラ等の重機で敷きならされて締め固められ、その後、廃棄物の飛散防止や悪臭の発散あるいはハエ等の衛生害虫の発生を防ぐために、上記廃棄物の上に所定厚さの覆土を施し、この覆土の上に新たに廃棄物を投入して埋立るようにしている。
【０００３】
【発明が解決しようとする課題】
しかしながら、埋立て地内にダンプカー等の搬送車両が入り込むと、上記搬送車両が廃棄物と接触する可能性があり、衛生上問題があった。又、埋立て地内に搬送車両専用の場内道路を設置すると、廃棄物を埋立る容量が少なくなってしまうといった問題点があった。
そこで、処分場の埋立て地の地上部から埋立て地内に直接廃棄物を投入する方法も考えられるが、埋立て地の深さは、廃棄物の投入初期段階では、通常１０ｍ以上あり、廃棄物を直接投入した場合には、落下衝撃により廃棄物が飛散したり多量の粉塵が発生するため、衛生上問題があるだけでなく、後で重機を用いて行う敷きならし作業に支障をきたすことがあった。
【０００４】
本発明は、従来の問題点に鑑みてなされたもので、廃棄物を飛散させることなく埋立て地の地上部から埋立て地内に直接廃棄物を投入することを目的とする。
【０００５】
【課題を解決するための手段】
本発明の請求項１に記載の廃棄物処分場は、凹状に成形された埋立て地の内壁に設置される複数のＨ型鋼材と、このＨ型鋼材に取付けられて、上記埋立て地内に投入される廃棄物の落下速度を緩和するための筒状の投入シュートとを備え、上記投入シュートは、それぞれが、上記Ｈ型鋼材に着脱可能に取付けられる複数のシュートユニットを上下方向に複数段連結して成り、上記シュートユニットは、上記Ｈ型鋼材に取付けられる平板状の取付板と、この取付板の両側に、上記廃棄物の落下方向に平行に立設された側板と、上記取付板に立設され、上記廃棄物の落下方向に対して斜め下方に延長する落下制御板と、上記側板に、上記取付板に対向するように取付けられた板状の飛散防止カバーとを備え、上下方向に隣接するシュートユニット同士は、上記落下制御板の延長方向が互いに反対になるように連結されており、上記投入シュートを構成する複数のシュートユニットのうちのいくつかは、一方の側板に観察窓を備えていることを特徴とするものである。
【０００９】
【発明の実施の形態】
以下、本発明の実施の形態について、図面に基づき説明する。
図１，図２は、本実施の形態に係わる廃棄物処分場を示す図で、図３は廃棄物処分場に設置される廃棄物の投入シュートを構成するシュートユニットの構成を示す図である。図１及び図２において、２０は地面を凹状に掘削・成形し、その底部に保護土層２１を形成すると共に、その周囲をコンクリート塀２２で補強して構成した埋立て地２３を備えた廃棄物処分場である。上記保護土層２１の下部側には、通常遮水シートが設置され、この遮水シートの上面側には浸出水排水路等が設けられ、下面側には地下水排水路等が設けられる。上記各排水路からの浸出水及び地下水は個別に貯留部に貯留された上で、浄化処理されることになる。
３０は荷台３１に搭載された廃棄物を上記廃棄物処分場２０に投入するダンプカー、４０は上記埋立て地２３の内壁に当るコンクリート塀２２の斜面の傾斜方向に沿って延長する如く設けられた取付部材であるＨ型鋼材、５０は上記各Ｈ型鋼材４０の上に取付けられた廃棄物投入シュートであり、これは四角筒状となっており、上，下方向に開口する四角筒状のシュートユニット１０を上，下方向に複数段連結して構成される。この廃棄物投入シュート５０の上端の開口部より成る廃棄物投入口５１に、上記ダンプカー３０の荷台３１から廃棄物を投入する。上記投入された廃棄物は、廃棄物投入シュート５０の落下通路５２を通って、上記廃棄物投入シュート５０の下端の開口部より成る廃棄物排出口５３から上記埋立て地２３の底部側に排出される。なお、同図において、Ｋは上記廃棄物投入シュート５０を用いて埋立て地２３に投入された廃棄物である。
【００１０】
シュートユニット１０は、図３の斜視図と図４（ａ），（ｂ）の平面図及び側面図に示すように、Ｈ型鋼材４０の上に位置される長辺形の取付板１１と、上記取付板１１の両側から上方に突出する側板１２ａ，１２ｂとで構成された樋状の部材に、上記取付板１１に立設され、図２の矢印で示した廃棄物の落下方向に対して斜め下方に延長する平板状の落下制御板１３を設けるとともに、上記取付板１１に対向する面に板状の飛散防止カバー１４を設けたもので、これにより、シュートユニット１０を、上，下にそれぞれ開口部１０ａ，１０ｂを有する四角筒状に形成する。
上記シュートユニット１０は、後述するように、Ｈ型鋼材４０の上面側に固定される。又、上記シュートユニット１０は、傾斜方向（上，下方向）の長さよりも幅方向の長さが長く（ここでは約２倍）に設定され、それぞれ傾斜方向に沿って連結される。
上記落下制御板１３は、両側部が飛散防止カバー１４に接すると共に、傾斜上端が側板１２ａ、あるいは側板１２ｂのいずれか一方の上部側に位置し、傾斜下端が下部の開口部１０ｂのほぼ中央側に位置する如く傾斜している。上，下に隣接するシュートユニット１０においては、この落下制御板１３は、左，右側から交互に傾斜する如く突出する。従って、本実施の形態のシュートユニット１０では、落下制御板１３の傾斜角度は略４５度となり、上部の開口部１０ａの幅は、ほぼ取付板１１の幅と同じ幅で、下部の開口部１０ｂの幅は上記開口部１０ａの約半分になる。
又、落下制御板１３は、取付板１１を、コンクリート塀２２の斜面に沿って設けられた上記複数のＨ型鋼材４０の上部フランジ４０ａの上面側にボルト等で連結して固定される。
【００１１】
上記複数のシュートユニット１０は、図２に示すように、互いに隣接する（上，下関係にある）シュートユニット１０の落下制御板１３の延長方向が反対になるように連結され、最上部のシュートユニット１０Ｐの上部開口部１０ｐが廃棄物投入シュート５０の廃棄物投入口５１となり、最下部のシュートユニット１０Ｑの下部開口部１０ｑが廃棄物排出口５３となる。
なお、上記シュートユニット１０のうち、いくつかのシュートユニット１０には、落下制御板１３の上面１３ａ側に対向する側面１２ｂ側に観察窓１５が設けられ、落下制御板１３の裏面１３ｂ側に対向する側面１２ａ側に、集塵機１７のダクト１８を連結するためのダクト連結部１６が設けられている。
【００１２】
次に、上記構成の廃棄物投入シュート５０を用いた廃棄物の投入方法について説明する。
廃棄物処分場２０の埋立て地２３のコンクリート塀２２の斜面に、予め複数のＨ型鋼材４０を所定の間隔で互いに平行に設置し、上記各Ｈ型鋼材４０にシュートユニット１０を、互いに上，下関係にあるシュートユニット１０，１０の落下制御板１３の延長方向が反対になるように取付けて、埋立て地２３の地上部２３ｐから埋立て地２３の底部２より所定の高さだけ高い位置まで延長する筒状の廃棄物投入シュート５０を形成し、この箇所を廃棄物投入箇所とするとともに、上記廃棄物投入シュート５０の最上部となるシュートユニット１０Ｐの上部開口部１０ｐを廃棄物投入口５１とする。
ダンプカー３０の荷台３１に搭載されて廃棄物処分場２０の上記廃棄物投入箇所まで運搬された廃棄物は、上記荷台３１から廃棄物投入シュート５０の廃棄物投入口５１に投入される。廃棄物投入シュート５０の各シュートユニット１０は、互いに隣接する（上，下関係にある）シュートユニット１０の落下制御板１３の延長方向が反対になるように、すなわち、上から順に右，左，右，‥‥と配置されているので、上記廃棄物は各シュートユニット１０毎に落下制御板１３に衝突して速度が緩和され、最下部のシュートユニット１０Ｑの下部開口部１０ｑである廃棄物排出口５３から埋立て地２３の底部に投入される。
【００１３】
このように、廃棄物を埋立て地２３に投入する際に、廃棄物投入シュート５０を介して投入することにより、埋立て地２３の地上部２３ｐから埋立て地２３内に廃棄物を投入しても、上記衝突により、廃棄物の落下速度を緩和することができるので、廃棄物の落下時及び落下後の飛散を防止することができる。又、飛散防止カバー１４を設けて、上記廃棄物投入シュート５０を筒状としたので、投入された廃棄物や粉塵がシュート外へ飛散するのを防止することができる。
【００１４】
なお、投入され埋め立てられた廃棄物Ｋの量がある高さまで溜り、最下部のシュートユニット１０Ｑと上記廃棄物Ｋの上面との距離が所定量以下になったときには、最下部のシュートユニット１０ＱをＨ型鋼材４０から取り外し、廃棄物の投入時に最下部のシュートユニット１０Ｑが廃棄物で詰まらないように、廃棄物投入シュート５０の長さを調整する。
又、本実施の形態の廃棄物投入シュート５０の側面１２ｂ側には、観察窓１５を設けて、廃棄物投入シュート５０の内部を観察できるようにしたので、落下制御板１３に廃棄物が付着したりして落下通路が狭くなったことなどを容易に発見することでき、当該シュートユニット１０を速やかに修理あるいは交換することができる。
更に、集塵機１７により、廃棄物投入シュート５０内の粉塵を吸引するようにしたので、廃棄物投入口５１から粉塵が外部に飛散することがないので、作業環境を大幅に改善することができる。
【００１５】
なお、上記実施の形態においては、上記落下制御板１３と落下方向との角度を略４５度とし、シュートユニット１０の下部開口部１０ｂの幅を上部開口部１０ａの幅の約半分にしたが、これに限るものではなく、上記落下制御板１３の角度，上部開口部１０ａの幅と下部開口部１０ｂの幅との比は、廃棄物の種類等により適宜設計されるものである。
又、上記例では、全てのシュートユニット１０に落下制御板１３を設けたが、廃棄物の種類や埋立て地の深さ等の条件によっては、落下制御板１３のないシュートユニットを混在させてもよい。
又、廃棄物投入シュート５０及びシュートユニット１０の外形を直方体状としたが、多角柱状あるいは円筒状とし、上記角柱あるいは円筒の内壁に、上記内周面から斜め下方に突出し、投入される廃棄物に衝突する板状の緩衝部材を設けるようにしてもよい。
【００１６】
上記例では、緩衝部材を板状の落下制御板１３としたが、取付板１１，側板１２ａ，１２ｂから、落下通路に突出する複数の突起物を設けてもよい。又、個々の廃棄物の大きさが小さい、例えば焼却灰のような場合には、網状の緩衝部材を設けて投入される廃棄物の速度を緩衝させるようにしてもよい。
又、廃棄物投入シュート５０を、複数のシュートユニットを連結した構成したが、一体であってもよく、廃棄物処分場の埋設量に従って、種々の長さの廃棄物投入シュート５０を用いてもよい。
又、廃棄物投入シュート５０は螺旋状の筒体より構成してもよい。
【００１７】
【発明の効果】
以上説明したように、請求項１に記載の発明によれば、凹状に成形された埋立て地内に、廃棄物の落下速度を緩和するための投入シュートが設置された廃棄物処分場において、筒状の投入シュートを取付けるために、複数のＨ型鋼材を埋立て地の内壁に設置するとともに、上記投入シュートを、上記Ｈ型鋼材に取付けられる平板状の取付板と、この取付板の両側に、上記廃棄物の落下方向に平行に立設された側板と、上記取付板に立設され、上記廃棄物の落下方向に対して斜め下方に延長する落下制御板と、上記側板に、上記取付板に対向するように取付けられた板状の飛散防止カバーとを備え、それぞれが、上記Ｈ型鋼材に着脱可能に取付けられる複数のシュートユニットを上下方向に複数段連結した構成とし、かつ、上下方向に隣接するシュートユニット同士を、上記落下制御板の延長方向が互いに反対になるように連結するようにしたので、廃棄物を埋立て地の地上部から直接投入しても、上記廃棄物の落下速度を緩和することができるとともに、廃棄物の飛散を確実に防止することができる。従って、埋立て地内の搬送車両専用道路が不要となり、廃棄物を埋立る容量を増やすことができると共に、後作業である廃棄物の敷きならし作業を効率よく行うことができる。又、搬送車両が埋立て地内に入らないので、廃棄物と接触することがなく衛生的である。
また、任意の長さの投入シュートを容易に作製することができるので、運搬が容易であるだけでなく、シュートユニットを着脱可能としたので、埋立て地内の廃棄物量が増加した場合でも、下段のシュートユニットを取り外すなどして、投入シュートの長さをその場で適宜調整することができる。
また、上記投入シュートを構成する複数のシュートユニットのうちのいくつかが、一方の側板に観察窓を備えているので、投入シュートの内部を観察できる。したがって、落下制御板に廃棄物が付着したりして落下通路が狭くなったことなどを容易に発見することできるので、シュートユニットを速やかに修理あるいは交換することができる。
【図面の簡単な説明】
【図１】  本実施の形態に係わる廃棄物処分場を示す図である。
【図２】  本実施の形態に係わる廃棄物処分場を示す図である。
【図３】  シュートユニットの構成を示す斜視図である。
【図４】  シュートユニットの平面図及び側面図である。
【符号の説明】
１０  シュートユニット、１１  取付板、１２  側板、１３  落下制御板、
１４  飛散防止カバー、１５  観察窓、１６  ダクト連結部、１７  集塵機、
１８  ダクト、Ｋ  廃棄物、２０  廃棄物処分場、２１  保護土層、
２２  コンクリート塀、２３  埋立て地、３０  ダンプカー、３１  荷台、
４０  Ｈ型鋼材、５０  廃棄物投入シュート、５１  廃棄物投入口、
５２  落下通路、５３  廃棄物排出口。
【図１】
0004361181.tif 000002
【図２】
0004361181.tif 000003
【図３】
0004361181.tif 000004
【図４】
0004361181.tif 000005